(57)【要約】      （修正有）【課題】燃料電池システムの水素貯蔵系に配置されるソレノイドバルブを提供する。【解決手段】高圧容器から延長される流路上に設けられ、流路を開放又は閉鎖できるソレノイドバルブであって、バルブの内部にガスが流入される空孔１１０を含むメインシート１００と、メインシートに密着又は脱離できるメインプランジャー２００と、バルブの内部のメインプランジャーの上端に設けられ、内部の中空部３１０を含むパイロットプランジャー３００と、パイロットプランジャーの内部の一側に形成され、末端がメインプランジャーに当接できるパイロットプランジャーヘッド４００と、を含み、パイロットプランジャーはバルブの内部で移動でき、パイロットプランジャーヘッドはパイロットプランジャーの中空部の内部で移動でき、パイロットプランジャーヘッドの移動とパイロットプランジャーの移動とが相互に独立して行われる。【選択図】図４
2018119676.tif 000002
【特許請求の範囲】
【請求項１】
高圧容器から延長される流路上の一地点に設けられ、前記流路を開放又は閉鎖するソレノイドバルブであって、
前記ソレノイドバルブの内部にガスが流入する空孔を有するメインシートと、
前記メインシートと密着又は脱離可能に配備されたメインプランジャーと、
前記ソレノイドバルブ内部の前記メインプランジャーの上端に設けられ、内部に中空部を有するパイロットプランジャーと、
前記パイロットプランジャーの内部の一側に形成され、末端が前記メインプランジャーに当接可能なパイロットプランジャーヘッドと、
を含み、
前記パイロットプランジャーは、前記ソレノイドバルブの内部を移動可能に設けられ、前記パイロットプランジャーヘッドは、前記パイロットプランジャーの前記中空部の内部を移動可能に設けられ、前記パイロットプランジャーヘッドの移動と前記パイロットプランジャーの移動とが相互に独立して行われることを特徴とする独立して挙動可能なパイロットプランジャーヘッドを含むソレノイドバルブ。
【請求項２】
前記メインプランジャーと前記パイロットプランジャーとが当接する面に形成された突起を更に含むことを特徴とする請求項１に記載の独立して挙動可能なパイロットプランジャーヘッドを含むソレノイドバルブ。
【請求項３】
前記突起は、金属からなることを特徴とする請求項２に記載の独立して挙動可能なパイロットプランジャーヘッドを含むソレノイドバルブ。
【請求項４】
前記中空部の内部に、前記パイロットプランジャーヘッドの一側に付着可能に設けられたスプリングを更に含むことを特徴とする請求項１に記載の独立して挙動可能なパイロットプランジャーヘッドを含むソレノイドバルブ。
【請求項５】
前記中空部の内部に設けられて、前記スプリングを収容するスプリングガイドを更に含むことを特徴とする請求項４に記載の独立して挙動可能なパイロットプランジャーヘッドを含むソレノイドバルブ。
【請求項６】
前記スプリングと前記パイロットプランジャーの内周面との間に設けられる摩擦部材を更に含むことを特徴とする請求項４に記載の独立して挙動可能なパイロットプランジャーヘッドを含むソレノイドバルブ。
【請求項７】
前記ソレノイドバルブの外周面を囲むためのソレノイドバルブガイドと、
前記ソレノイドバルブガイドの一端に締結される固定鉄心と、
を更に含み、
前記ソレノイドバルブガイドの他端には、前記メインシートが締結されることを特徴とする請求項１に記載の独立して挙動可能なパイロットプランジャーヘッドを含むソレノイドバルブ。
【請求項８】
前記パイロットプランジャー及び前記メインプランジャーは、前記ソレノイドバルブガイドの内部に配置され、前記固定鉄心と前記メインシートとの間を移動可能であることを特徴とする請求項７に記載の独立して挙動可能なパイロットプランジャーヘッドを含むソレノイドバルブ。
【請求項９】
前記中空部の内部の前記パイロットプランジャーヘッドの一側に付着可能となるように設けられたスプリングを更に含み、
前記スプリングの一側は、前記パイロットプランジャーヘッドに締結され、前記スプリングの他側は、前記固定鉄心に締結されることを特徴とする請求項７に記載の独立して挙動可能なパイロットプランジャーヘッドを含むソレノイドバルブ。
【請求項１０】
前記メインプランジャーと前記ソレノイドバルブガイドとの間に設けられ、前記メインプランジャーの移動を調節する摩擦部材を更に含むことを特徴とする請求項７に記載の独立して挙動可能なパイロットプランジャーヘッドを含むソレノイドバルブ。
【請求項１１】
前記パイロットプランジャーヘッドは、プラスチック又はゴム材質からなることを特徴とする請求項１に記載の独立して挙動可能なパイロットプランジャーヘッドを含むソレノイドバルブ。
【請求項１２】
前記ソレノイドバルブは、前記高圧容器の充填流路と供給流路とが同一であるシステムに設けられることを特徴とする請求項１に記載の独立して挙動可能なパイロットプランジャーヘッドを含むソレノイドバルブ。
【請求項１３】
前記メインプランジャーは前記メインプランジャーの中央を貫通する流路を更に含み、前記流路の一端は前記メインシートの前記空孔に連結され、前記流路の他端は前記パイロットプランジャーヘッドに密着又は脱離できることを特徴とする請求項１に記載の独立して挙動可能なパイロットプランジャーヘッドを含むソレノイドバルブ。
【発明の詳細な説明】
【技術分野】
【０００１】
本発明は、独立して挙動可能なパイロットプランジャーヘッドを含むソレノイドバルブに係り、より詳細には、パイロットプランジャーの一端に設けられるパイロットプランジャーヘッドとパイロットプランジャーが相互独立して挙動可能で、それによって水素などの高圧ガスを充填する時にプランジャーヘッドの破損を防止することができる独立して挙動可能なパイロットプランジャーヘッドを含むソレノイドバルブに関する。
【背景技術】
【０００２】
通常、燃料電池自動車の水素貯蔵システムは、水素を充填するための充填口、ソレノイドバルブ、水素タンク、圧力調節器、及びそれらの部品を連結するための高圧配管類などで構成される。
【０００３】
前記燃料貯蔵システム、即ち水素貯蔵系に備えられる高圧容器（水素容器）には、７００ｂａｒ程度の高圧圧縮水素が貯蔵されており、圧縮水素が、水素容器の入口部に装着された高圧ソレノイドバルブのオン／オフ（ｏｎ／ｏｆｆ）により高圧流路に放出された後、圧力調節器と水素供給バルブとを介して、減圧されて燃料電池スタックに供給される。
【０００４】
燃料電池自動車に高圧の水素を充填する部分の構成を説明すると、充填所の充填ノズルを車両に結合する部分が水素充填口（又は充填レセプタクル）となり、充填された水素ガスは、高圧配管により、高圧容器（又は水素タンク）に結合されているバルブを介して車両の高圧容器に充填される。
【０００５】
一方、燃料電池システムの水素貯蔵系に適用されるバルブとしては、ソレノイドを用いたバルブを使用することができる。
一般的にソレノイドバルブは、電磁石の原理を用いてバルブを開放又は閉鎖するもので、詳細には一定方向に発生させた物理的な力を伝達して、シリンダーとプランジャーとの間の空孔を開放又は閉鎖することができる。空孔の開放又は閉鎖によりバルブは流体の流れを制御でき、電気、電子、機械装置などの様々な産業分野で広範囲に使用することができる。
【０００６】
但し、ソレノイドバルブの内部のプランジャーが上昇又は下降することによって、バルブの内部へ高圧のガスが流入されることがある。この際、高圧ガスの圧力がプランジャーヘッドを直接強打することが起こり、それによってプランジャーヘッドが損傷する場合があった。
【０００７】
特に、ソレノイドバルブが位置している流路で、高圧ガスの供給と充填とが同時に行われる場合には、充填されるガス圧によりプランジャーヘッドが損傷される確率が大幅に高くなるため、高圧のガス圧によるプランジャーヘッドの損傷を防ぐことができるソレノイドバルブの必要性が高まっている。
【先行技術文献】
【特許文献】
【０００８】
【特許文献１】韓国登録特許第１０−１６２８５６９号公報
【発明の概要】
【発明が解決しようとする課題】
【０００９】
本発明は、燃料電池システムの水素貯蔵系に設けられるソレノイドバルブにおいて、充填圧と同じ高圧がプランジャーヘッドに印加されてもプランジャーヘッドの損傷を防止できる、独立して挙動可能なパイロットプランジャーヘッドを含むソレノイドバルブ構造を提供することを課題とする。
【課題を解決するための手段】
【００１０】
本発明が一実施例として提供する独立して挙動可能なパイロットプランジャーヘッドを含むソレノイドバルブは、高圧容器から延長される流路上の一地点に設けられて、前記流路を開放または閉鎖できるソレノイドバルブであって、前記ソレノイドバルブの内部にガスが流入する空孔を有するメインシートと、前記メインシートと密着または脱離可能に配備されたメインプランジャーと、前記ソレノイドバルブ内部の前記メインプランジャーの上端に設けられ、内部に中空部を有するパイロットプランジャーと、前記パイロットプランジャーの内部の一側に形成され、末端が前記メインプランジャーに当接可能なパイロットプランジャーヘッドと、を含み、
前記パイロットプランジャーは、前記ソレノイドバルブの内部を移動可能に設けられ、前記パイロットプランジャーヘッドは、前記パイロットプランジャーの前記中空部の内部で移動可能に設けられ、前記パイロットプランジャーヘッドの移動と前記パイロットプランジャーの移動が相互独立して行われることを特徴とする。
【００１１】
また、前記メインプランジャーと前記パイロットプランジャーが当接する面に形成される突起を更に含むことを特徴とする。
【００１２】
また、前記突起は、金属からなることが好ましい。
また、前記中空部の内部に前記パイロットプランジャーヘッドの一側に付着可能に設けられたスプリングをさらに含むことを特徴とする。
【００１３】
また、前記中空部の内部に設けられて、前記スプリングを収容するスプリングガイドをさらに含むことが好ましい。
【００１４】
また、前記スプリングと前記パイロットプランジャーの内周面との間に設けられる摩擦部材をさらに含むことができる。
【００１５】
また、前記ソレノイドバルブの外周面を囲むためのソレノイドバルブガイドと、前記ソレノイドバルブガイドの一端に締結される固定鉄心と、をさらに含み、前記ソレノイドバルブガイドの他端には、  前記メインシートが締結されることを特徴とする。
【００１６】
また、前記パイロットプランジャー及び前記メインプランジャーは、前記ソレノイドバルブガイドの内部に配置され、前記固定鉄心と前記メインシートとの間を移動可能であることが好ましい。
【００１７】
また、前記中空部の内部の前記パイロットプランジャーヘッドの一側に付着可能に設けられたスプリングを更に含み、前記スプリングの一側は前記パイロットプランジャーヘッドに締結され、前記スプリングの他側は前記固定鉄心に締結されることが好ましい。
【００１８】
前記メインプランジャーと前記ソレノイドバルブガイドとの間に設けられ、前記メインプランジャーの移動を調節する摩擦部材を更に含むことができる。
また、前記パイロットプランジャーヘッドは、プラスチック又はゴム材質からなることができる。
【００１９】
また、前記ソレノイドバルブは、前記高圧容器の充填流路と供給流路が同一となるシステムに設けられることができる。
【００２０】
また、前記メインプランジャーは、前記メインプランジャーの中央を貫通する流路をさらに備え、前記流路の一端は、前記メインシートの前記空孔に連結され、前記流路の他端は前記パイロットプランジャーヘッドに密着または脱離できることを特徴とする。
【発明の効果】
【００２１】
本発明は、次のような効果を提供する。
本発明によれば、燃料電池システムの水素貯蔵系に水素などの燃料が充填される場合、高圧の充填圧を瞬間的に印加するか、又は充填流体が急激に流入することによって、ソレノイドバルブに加えられる衝撃量を、分散又は減殺させることができる。
【００２２】
それによって、ソレノイドバルブのパイロットプランジャーヘッドに加えられる衝撃を緩和して、ソレノイドバルブのパイロットプランジャーヘッドの損傷を防止することによって、部品交替の費用と必要な工程とを削減できるという効果がある。
【図面の簡単な説明】
【００２３】
【図１】高圧容器で容器の内部に充填されるガスの充填流路と容器の内部から放出されるガスの供給流路とが分離されている場合の燃料電池システムの構成における連結関係を示す図面である。
【図２】高圧容器で容器の内部に充填されるガスの充填流路と容器の内部から放出されるガスの供給流路とが同じ流路により形成される場合において、水素貯蔵システムの構成における連結関係を示す図面である。
【図３】本発明の一実施例による、独立して挙動可能なパイロットプランジャーヘッドを含むソレノイドバルブの断面を示す図面である。
【図４】本発明の一実施例で、充填されるガスの圧力が作用することによる各構成の移動可能方向を示す図面である。
【発明を実施するための形態】
【００２４】
以下、本発明の実施例を、添付図面を参照して詳細に説明する。
本発明の実施例は様々な形態に変形可能であり、本発明の範囲が下記の実施例に限定されるものと解釈されてはならない。本実施例は、当業界で平均的な知識を有する者にとって、本発明をより完全に説明するために提供されるものである。
【００２５】
また、明細書に記載された「．．．部」、「．．．ユニット」、「．．．モジュール」などの用語は、少なくとも１つの機能や動作を処理する単位を意味し、これはハードウェアやソフトウェア、又はハードウェア及びソフトウェアの結合により実現することができる。また、明細書に記載した「一側」、「他側」、「一端」、及び「他端」などは、該当構成の一地点を明確に指すためのもので、単語の区別をすることはなく、ほぼ類似の意味として使用することができる。
【００２６】
車両に搭載される水素貯蔵システムは、水素が充填される充填口、通信センサを含む充填部、充填された水素を安全に貯蔵するための高圧容器、バルブを含む貯蔵部、高圧の水素圧力を１次調整する減圧部、及び水素貯蔵システムに含まれた温度、圧力センサの信号を処理し、システムに設けられる複数のバルブの開放／閉鎖を調節できる制御部などを含んで構成することができる。
【００２７】
本発明において、ソレノイドバルブ（以下、本明細書で示す「バルブ」はソレノイドバルブを意味する）は、電磁気力で駆動されるＮＣ（ｎｏｒｍａｌｌｙ  ｃｌｏｓｅｄ）タイプのバルブであり得る。また、本発明のソレノイドバルブは、ソレノイドバルブが設けられた流路の一地点で流体の流れを電磁気力によって制御することができる。
【００２８】
図１及び図２は、本発明の一実施例によるソレノイドバルブを採用可能な水素貯蔵システムの連結関係を示す図面である。図１は、高圧容器で容器の内部に充填されるガスの充填流路と容器の内部から放出されるガスの供給流路とが分離されている場合の、燃料電池システムの構成における連結関係を示す図面である。
【００２９】
図１に示すように、充填流路に沿って充填される高圧ガスがマニュアルバルブを通過して分岐点に到達し、分岐点高圧ガスの一部は供給流路上に配置されるバルブ側に分岐される。従って、バルブのプランジャーヘッドが位置する領域には、充填される高圧ガスの圧力が印加されることがある。
【００３０】
図２は、高圧容器で容器の内部に充填されるガスの充填流路と容器の内部から放出されるガスの供給流路とが同じ流路により形成される場合において、水素貯蔵システムの構成における連結関係を示す図面である。図２に示すように、充填流路と供給流路とが同じであるため、充填される高圧ガスが流路上の一地点に配置されるソレノイドバルブを通過しなければならず、従って、図１と同様に、バルブのプランジャーヘッドが位置する領域には、充填される高圧ガスの圧力が印加されることがある。
【００３１】
従って、本発明によるソレノイドバルブは、図１と図２との場合、即ち、燃料電池システムの充填流路と供給流路とが分離されている場合、及び両流路が一体化して形成さている場合の、両方ともに採用することができる。
【００３２】
以下、図３を参照して、本発明の一実施例による独立して挙動可能なパイロットプランジャーヘッド４００を含むソレノイドバルブの構造に関して詳細に説明する。  図３は、本発明の一実施例による独立して挙動可能なパイロットプランジャーヘッドを含むソレノイドバルブの断面を示す図面である。本発明によるソレノイドバルブは、高圧容器から延長される流路上の一地点に設けられ、流路を開放又は閉鎖する機能を果たすことができる。本発明のソレノイドバルブは、ソレノイドバルブの外周面を囲むためのソレノイドバルブガイド７００を含んでもよい。
【００３３】
また、ソレノイドバルブの一端には、固定鉄心８００が設けられる。好ましくは、固定鉄心８００は、ソレノイドバルブの上部でソレノイドバルブガイド７００に締結され、それによって、ソレノイドバルブガイド７００と共にソレノイドバルブの外周面を形成することができる。また、好ましくはソレノイドバルブガイド７００は、中空状のシリンダーの形態であり得る。また、ソレノイドバルブガイド７００の内部にプランジャーが設けられるが、プランジャーは、シリンダーの内部で往復運動することができる。
【００３４】
一方、ソレノイドバルブガイド７００を基準として、固定鉄心８００の反対側の端部の、好ましくはソレノイドバルブの下端には、メインシート１００が設けられる。また、ソレノイドバルブの内部にはメインシート１００に密着又は脱離可能で、上下方向に移動できるメインプランジャー２００が設けられる。
【００３５】
詳細には、メインプランジャー２００は、ソレノイドバルブガイド７００に沿ってソレノイドバルブガイド７００の内部から一定の距離だけ上下方向に往復運動することができる。
好ましくはメインプランジャー２００とソレノイドバルブガイド７００との間には、メインプランジャーの移動を調節するためのシール部材２２０が設けられ、更に好ましくはゴム材質などのＯ−リングが設けられる。
【００３６】
メインシート１００は、バルブの一側でソレノイドバルブガイド７００に締結され、気密を保持できる材質からなる。本発明の好ましい一実施例によれば、メインシート１００は、中央に一定の直径を有する空孔１１０を含んでもよい。従って、前記空孔１１０を介して流路からガス、好ましくは水素が流入され、また、バルブの内部から流路へ排出されることができる。
【００３７】
また、メインプランジャー２００は、メインプランジャー２００の内部の中央に形成された一定の直径の流路２１０を含んでもよい。更に、メインプランジャー２００の内部の流路２１０で、後述するパイロットプランジャー３００側に近い領域には、一定の直径を有するメインプランジャー２００の流路よりも直径が更に小さいオリフィスが形成されてもよい。
【００３８】
一方、バルブを制御する制御部によってメインプランジャー２００が移動でき、それによって、メインプランジャー２００が下降してメインシート１００に密着すると、バルブが閉鎖される。従って、この場合は、バルブが形成された流路は遮断された状態となる。また、メインプランジャー２００の上昇によってメインシート１００から脱離されると、バルブが開放され、それによって、バルブが形成された流路では、流体が自由に流動することができる。
【００３９】
再び図３を参照すると、本発明の一実施例によるバルブには、パイロットプランジャー３００、パイロットプランジャーヘッド４００、及びスプリング６００が設けられる。好ましくは、パイロットプランジャー３００は、バルブの内部に設けられ、詳細にはバルブの内部のメインプランジャー２００の上端に設けられる。
【００４０】
また、パイロットプランジャー３００は、ソレノイドバルブガイド７００の内部に形成されるが、ソレノイドバルブガイド７００に沿って往復運動でき、より詳細にはメインプランジャー２００と固定鉄心８００との間に設けられ、一定の距離だけ往復運動可能に配備される。
【００４１】
本発明の好ましい一実施例によれば、パイロットプランジャー３００は、メインプランジャー２００の上端と固定鉄心８００の下端との間に設けられる。また、パイロットプランジャー３００は、その内部に中空部３１０を含んでもよい。中空部３１０の形状に制限はなく、パイロットプランジャーヘッド４００の移動を許容できる形状と、一定の長さを持つものであれば十分である。
【００４２】
一方、パイロットプランジャーヘッド４００は、パイロットプランジャー３００の内部の一側に形成される。詳細には、パイロットプランジャーヘッド４００は、パイロットプランジャーの中空部３１０の一側に形成される。パイロットプランジャーヘッド４００は、パイロットプランジャーの中空部３１０の内部で移動することができる。従って、パイロットプランジャーヘッド４００は、パイロットプランジャーの中空部３１０の形状に対応するように設計される。
【００４３】
また、本発明の好ましい一実施例によれば、パイロットプランジャーヘッド４００は、その一端が尖っているように形成される。以下、パイロットプランジャーヘッド４００の尖っている一端を「パイロットプランジャーヘッドの先端」４１０と記す。即ち、パイロットプランジャーヘッド４００は、一端にパイロットプランジャーヘッドの先端４１０が設けられ、その他端にはスプリング６００が締結される構造であることができる。
【００４４】
一方、パイロットプランジャーヘッド４００は、パイロットプランジャーの中空部３１０の内部で往復運動することができる。即ち、パイロットプランジャーヘッド４００は、パイロットプランジャー３００の内部で上下運動することができる。更に、パイロットプランジャー３００の運動とパイロットプランジャーヘッド４００の運動とは、相互に独立して行うことが可能である。
【００４５】
また、パイロットプランジャーヘッド４００は、基本的にメインプランジャー２００の後端に密着した状態で保持される。詳細にはパイロットプランジャーヘッドの先端４１０がメインプランジャー２００の流路２１０の後端に当接してバルブを閉鎖させた状態を基本的に維持することができる。具体的には、パイロットプランジャーヘッドの先端４１０と、メインプランジャー２００の流路２１０のオリフィスと、が当接可能で、パイロットプランジャーヘッドの先端４１０の大きさがオリフィスの直径よりも大きく形成されてパイロットプランジャーヘッド４００がメインプランジャー２００の流路２１０を密閉した状態を維持することができる。好ましくはパイロットプランジャーヘッド４００は、プラスチック又はゴム材質からなる。
【００４６】
一方、本発明の一実施例によれば、パイロットプランジャーの中空部３１０の内部にスプリング６００が設けられる。好ましくは、スプリング６００の一端は、中空部３１０でパイロットプランジャーヘッド４００の一側に付着でき、他端は固定鉄心８００に締結されて固定される。即ち、スプリング６００は、パイロットプランジャーの中空部３１０に設けられ、一側がパイロットプランジャーヘッド４００に、他側が固定鉄心８００に付着されることができる。このようなスプリング６００は、設計時に必要とする一定水準以上の弾性力を有する通常のスプリング６００を使用してもよい。
【００４７】
また、本発明の好ましい一実施例によれば、中空部３１０に設けられるスプリング６００は、スプリング６００を囲むスプリングガイド６１０を更に含んでもよい。スプリングガイド６１０は、選択的に設けられるが、パイロットプランジャーヘッド４００の素材がゴム又はプラスチックである場合には、スプリング６００の弾性力によるパイロットプランジャーヘッド４００の損傷及び／又は摩耗を防止することができる。即ち、スプリングガイド６１０は、スプリング６００の弾性力を調節し、スプリング６００の弾性運動を補完するガイドの役割を担うことができる。
【００４８】
また、スプリング６００とパイロットプランジャー３００の内周面との間には、スプリング６００の弾性復原力に対応して、スプリング６００の移動程度を制御するための摩擦部材が形成される。もし、スプリングガイド６１０が設けられた場合であれば、スプリングガイド６１０と、パイロットプランジャー３００の内周面と、の間に摩擦部材が形成されてもよい。
【００４９】
一方、ソレノイドバルブの内部でメインプランジャー２００とパイロットプランジャー３００とが当接する面には、突起５００が形成されてもよい。突起５００形状は、特に制限されず、但し、メインプランジャー２００とパイロットプランジャー３００が衝突する場合、衝撃量を吸収して衝撃を緩和すべきである。好ましくは、突起５００は、金属材質からなる。本発明の好ましい一実施例によれば、突起５００が形成される面積が広いほど、メインプランジャー２００とパイロットプランジャー３００との間で緩和される衝撃量が増加し、それによって、大きい衝撃を緩和させることができる。
【００５０】
図４は、本発明の一実施例で、充填されるガスの圧力が作用することによる各構成の移動可能方向を示す図面である。
以下、図４を参考として本発明の一実施例による独立して挙動可能なパイロットプランジャーヘッド４００を含むソレノイドバルブの作動に関して詳細に説明する。
高圧の充填ガス、好ましくは水素を流入する前のソレノイドバルブは、ＮＣ（Ｎｏｒａｍｌｌｙ−ｃｌｏｓｅｄ）バルブであるため、メインプランジャー２００は、メインシート１００に密着し、パイロットプランジャー３００は、メインプランジャー２００に密着することで、バルブの閉鎖状態を維持することができる。この状態の各バルブ構成の位置状態を「バルブが元の位置にある」とする。
【００５１】
ガス充填所で充填を開始する場合（ガスの流入）、充填されるガスの高圧がメインシート１００の空孔１１０側に印加されることがある。それによって、メインプランジャー２００も、充填されるガスの高圧によってメインシート１００から脱離されて後端に押し出されるようになる。メインプランジャー２００が後端に押し出されることによって、メインプランジャー２００は、メインプランジャー２００の後端に位置しているパイロットプランジャー３００に衝突するようになる。
【００５２】
従来技術では、この衝撃によって、パイロットプランジャーヘッド、詳細にはパイロットプランジャーヘッドの先端に衝撃が集中してパイロットプランジャーヘッド及び／又はパイロットプランジャーヘッドの先端が破損することがあった。
【００５３】
しかし、本発明では、メインプランジャー２００がパイロットプランジャー３００を打撃することによって、詳細にはパイロットプランジャーヘッド４００を打撃することによって、より詳細には、パイロットプランジャーヘッドの先端４１０を打撃することによって、パイロットプランジャーヘッド４００がパイロットプランジャー３００とは独立してパイロットプランジャーの中空部３１０の内部に押し込まれるようになる。
【００５４】
具体的には、パイロットプランジャーヘッド４００を打撃する力によって、パイロットプランジャーヘッド４００の後端のスプリング６００が圧縮力を受けて圧縮され、それによってパイロットプランジャーヘッド４００が、パイロットプランジャーの中空部３１０の内部から後方に押し出されるようになる。このように、パイロットプランジャーヘッド４００が中空部３１０の内部に押し込まれることによって、パイロットプランジャーヘッド４００が受ける衝撃量が大きく減殺され、結果的にパイロットプランジャー及び／又はパイロットプランジャーヘッド４００に加えられる衝撃が緩和されて該当部品の破損を防止することができる。
【００５５】
更に、高圧ガスの充填が完了して充填流路及び／又は供給流路上の高圧が解消された場合には、メインシート１００の空孔１１０の圧力が再び元の状態に減少するようになる。従って、この場合には、パイロットプランジャーヘッド４００の後端のスプリング６００の復原力が、メインプランジャー２００がパイロットプランジャー３００及びパイロットプランジャーヘッド４００を加圧する力よりも大きくなることできる。
【００５６】
従って、パイロットプランジャーヘッド４００の後端に配置されるスプリング６００の弾性復原力によって、パイロットプランジャーヘッド４００は、元の位置（バルブのＮＣ状態）に復帰することができる。即ち、パイロットプランジャーヘッド４００は、再びメインプランジャー２００のオリフィスに当接してメインプランジャー２００を密閉することができる。それによって、メインプランジャー２００もメインシート１００の方向へ加圧され、元の位置に復帰してメインシート１００に密着することができる。
本発明の基本思想は、パイロットプランジャーを含むソレノイドバルブにおいて、パイロットプランジャーの移動とパイロットプランジャーヘッドの移動とが相互に独立して行われるということである。
【００５７】
具体的には、外部からの衝撃によって、メインプランジャーが押されてパイロットプランジャーを打撃した時に、パイロットプランジャーのヘッド、詳細にはパイロットプランジャーのヘッドの先端が全ての衝撃を受ける構造ではなく、パイロットプランジャーヘッドがパイロットプランジャーの内部で後方に押し出されることによって、パイロットプランジャーとメインプランジャーとの間の突起で衝撃量を吸収するということが本発明の特徴である。
【００５８】
以上、本発明の実施例について説明したが、該当技術分野で通常の知識を有する者であれば、特許請求の範囲に記載された本発明の思想から逸脱しない範囲内で、構成要素の付加、変更、削除、又は追加などにより本発明を多様に修正及び変更して実施することができ、これもまた本発明の権利範囲内に属することである。
【００５９】
更に、本発明の実施例を説明するに当たって、公知の機能又は構成に対する具体的な説明が本発明の要旨を不明確にすると判断される場合には、その詳細な説明を省略する。そして、上述した用語は、本発明の実施例における機能を考慮して定義された用語であり、これは、使用者、運用者の意図又は慣例などにより変ってもよい。従って、その正義は、本発明で全般にわたった内容に基づいて下されるべきである。以上、発明の詳細な説明は、開示した実施形態によって本発明を制限するものではなく、添付した特許請求の範囲は他の実施形態も含むものである。
【符号の説明】
【００６０】
１００      メインシート
１１０      空孔
２００      メインプランジャー
２１０      メインプランジャーの流路
２２０      メインプランジャーのシール部材
３００      パイロットプランジャー
３１０      パイロットプランジャーの中空部
４００      パイロットプランジャーヘッド
４１０      パイロットプランジャーヘッドの先端
５００      突起
６００      スプリング
６１０      スプリングガイド
７００      ソレノイドバルブガイド
８００      固定鉄心
【図１】
2018119676.tif 000003
【図２】
2018119676.tif 000004
【図３】
2018119676.tif 000005
【図４】
2018119676.tif 000006